(57)【要約】      （修正有）【課題】構造物の施工現場で屋根材を折曲する作業が一切不要となり、ひいては工期の短縮化に大きく貢献することができる新規なけらば部材と、このけらば部材を用いた屋根材の施工構造を提供する。【解決手段】上面に屋根材１１が施工される野地板Ｂ上に配置される上面板部２と、この上面板部２の最も構造物の妻側と離間した位置に上面板部２の上面と傾斜して対向する水切り用の折曲板部２ｃと、野地板Ｂ上の妻側に位置してなるとともに上面板部２の妻側の上面との間で板状の屋根材１１の妻側が内部に挿入される挿入空間を形成してなる折返し板部３，４と、上面板部２及び折返し板部３，４と連続してなるとともに野地板Ｂの妻側上面の端部から下方又は上方の何れか一方に折曲されてなる垂下板部８又は起立板部と、を備えてなる。【選択図】図１
0003190356.tif 000002
【実用新案登録請求の範囲】
【請求項１】
１枚の金属板を折曲して成形されてなるものであって、上面に屋根材が施工される野地板上に配置される上面板部と、この上面板部の最も構造物の妻側と離間した位置に該上面板部の上面と傾斜して対向する水切り用の折曲板部と、上記野地板上の妻側に位置してなるとともに上記上面板部の妻側の上面との間で板状の屋根材の妻側が内部に挿入される挿入空間を形成してなる折返し板部と、上記上面板部及び折返し板部と連続してなるとともに上記野地板の妻側上面の端部から下方又は上方の何れか一方に折曲されてなる垂下板部又は起立板部と、を備えてなることを特徴とするけらば部材。
【請求項２】
前記上面板部の妻側の上面との間で挿入空間を形成する折返し板部は、該折返し板部の幅方向に対して直行する方向に長さを有する中間折曲部を間に左右に傾斜する一方の傾斜板部と他方の傾斜板部とを備え、
上記挿入空間は、上記中間折曲部を頂点とする三角形状に成形されてなるとともに、該折返し板部の端部であって構造物の妻側とは離間した部位の下面と上記上面板部の上面との間は、上記挿入空間内に挿入される屋根材の肉厚よりも短い距離とされてなることを特徴とする請求項１記載のけらば部材。
【請求項３】
前記折返し板部の上方には、第２の折返し板部が形成され、この第２の折返し板部の上面は、構造物の妻側から離間するにしたがって徐々に低くなるように傾斜してなることを特徴とする請求項１又は２記載の何れかのけらば部材。
【請求項４】
前記請求項１，２又は３記載の何れかのけらば部材に形成された挿入空間には、板状の屋根材の妻側が内部に挿入されてなることを特徴とする屋根材の施工構造。
【請求項５】
前記けらば部材を構成する折返し板部には、前記垂下板部が連続して形成され、この垂下板部は、前記上面板部との間で形成される角度が、９１度から１００度に亘る鈍角とされてなるとともに、上記垂下板部が構造物を構成する野地板の妻側の端面に固定されてなることを特徴とする請求項４記載の屋根材の施工構造。
【請求項６】
前記けらば部材を構成する折返し板部には、前記請求項１記載のけらば部材を構成する起立板部が連続して形成され、この起立板部は、前記構造物の妻側から起立した壁面に固定されてなることを特徴とする請求項４記載の屋根材の施工構造。
【考案の詳細な説明】
【技術分野】
【０００１】
本考案は、けらば部材及びこのけらば部材を用いた屋根材の施工構造に関し、特に、スチール板や銅板又はガルバリウム鋼板等の金属板により構成された屋根材の妻側端部と組み合わせて施工されるけらば部材及びこのけらば部材を用いた屋根材の施工構造に関するものである。
【背景技術】
【０００２】
けらば部材は、切妻屋根の妻側に配置され、図９に示すように、野地板Ｂの端面（又は破風板Ｈ）等に釘を用いて固定されている。すなわち、この従来のけらば部材５０は、金属板を所定の形状に切断した後に折曲して成形されたものであり、上記野地板Ｂの上面に配置される上面板部５１と、この上面板部５１の妻側端部から折曲部５２ａを介して野地板Ｂの端面側に折曲され上面は上記上面板部５１の下面に位置する下部折曲板部５２と、この下部折曲板部５２の端部から折曲部５３ａを介して下方に垂下し野地板Ｂの肉厚よりも長尺となされ釘Ｎを用いて該野地板Ｂの端面に固定さる垂下板部（固定板部）５３と、を備えている。なお、上記垂下板部（固定板部）５３の下端には、内側に折曲された水返し用の折返し板部５３ｂが形成され、上記上面板部５１の端部にも上方に折曲された水返し用の折返し板部５１ａが形成されている。
【０００３】
また、こうした従来のけらば部材５０を構成する上面板部５１上には、金属板を折曲することにより成形された屋根材５４が配置されている。この屋根材５４は、図示しない構造物を構成する上記野地板Ｂ上において、それぞれ所定の幅を有してなる屋根材５４が幅方向に一部重なりながら連結されてなるものであって、最も（他方の）妻側に配置されたこの屋根材５４は、妻側の端部に折曲部５５ａを介して下方に折曲された水返し用の折返し板部５５が形成されている。なお、この屋根材５４に形成された折返し板部５５の基端に形成された折曲部５５ａの内側は、上記けらば部材５０を構成する上記折曲部５２ａに係合している。
【考案の概要】
【考案が解決しようとする課題】
【０００４】
ところで、上記屋根材５４とけらば部材５０との施工方法は、先ず、上記けらば部材５０を釘Ｎにより野地板Ｂの端面に固定し、次いで、このけらば部材５０に最も離れた位置から所定の長さ幅に成形された屋根材５４を順番に施工し、最後に上記最も妻側の屋根材５４を施工する。この際、この最も妻側の屋根材５４は、構造物の施工現場において、上記所定の長さに成形された屋根材５４の幅が狭まるように切断するばかりか、さらにこの切断された端縁よりも手前の位置において下方に折曲して上記折返し板部５５を形成し、こうした作業が終了した後に、該屋根材５４に形成された上記折返し板部５５の折曲部５５ａの内側と上記けらば部材５０を構成する折曲部５２ａとが互いに係合するように施工する。
【０００５】
しかし、こうした施工現場での作業、とりわけ上記折返し板部５５を正確に直線状に形成するために行われる折曲作業は極めて煩雑であり、ひいては工期の短縮化を妨げる要因ともなっているのが実情である。
【０００６】
そこで、本考案は、上述した従来のけらば部材とこのけらば部材を用いて施工される屋根材の施工構造が有する課題を解決するために提案されたものであって、構造物の施工現場で屋根材を折曲する作業が一切不要となり、ひいては工期の短縮化に大きく貢献することができる新規なけらば部材と、このけらば部材を用いた屋根材の施工構造を提供することを目的とするものである。
【課題を解決するための手段】
【０００７】
本考案は、上記目的を達成するために提案されたものであって、第１の考案（請求項１記載の考案）は、けらば部材に係るものであり、１枚の金属板を折曲して成形されてなるものであって、上面に屋根材が施工される野地板上に配置される上面板部と、この上面板部の最も構造物の妻側と離間した位置に該上面板部の上面と傾斜して対向する水切り用の折曲板部と、上記野地板上の妻側に位置してなるとともに上記上面板部の妻側の上面との間で板状の屋根材の妻側が内部に挿入される挿入空間を形成してなる折返し板部と、上記上面板部及び折返し板部と連続してなるとともに上記野地板の妻側上面の端部から下方又は上方の何れか一方に折曲されてなる垂下板部又は起立板部と、を備えてなることを特徴とするものである。
【０００８】
この第１の考案に係るけらば部材は、野地板上の妻側に位置してなるとともに上記上面板部の妻側の部位との間で板状の屋根材の妻側が内部に挿入される挿入空間を形成してなる折返し板部を備えてなることから、このけらば部材を用いて（最も構造物の妻側に施工される）板状の屋根材を施工する場合には、構造物の施工現場において屋根材を施工する際には、単に該屋根材の幅を狭めるために切断する作業のみを行えばよく、該屋根材の端部を折曲する作業が不要となる。
【０００９】
なお、このけらば部材は、スチール板，銅板又はガルバリウム鋼板等の金属板が折曲されてなるものであり、上記上面板部と折返し板部と垂下板部又は起立板部は、それぞれ連続してなるものであり、具体的には、上面板部の妻側端部から下面が該上面板部の上面の上方に位置するように第１の折曲部を介して折返すことによって所定の幅の第１の折返し板部を形成し、この第１の折返し板部の端部から更に第２の折曲部を介して反対側（妻側）に折返すことによって第２の折返し板部を形成し、この第２の折返し板部の妻側の端部から、第３の折曲部を介してそのまま下方に折曲して垂下板部を形成するか、或いは、該第３の折曲部を介してそのまま上方に折曲して起立板部を形成したものである。なお、上記垂下板部は、上記第３の折曲部を介して上面が上記上面板部の下面の一部と対向するように折曲して下面板部を形成し、さらにこの下面板部の端部から第４の折曲部を介して下方に垂下するよう折曲することにより形成しても良い。このように折曲されて形成された上記第１の折返し板部の下面と、上記上面板部との間に形成された空間が、上記第１の考案を構成する挿入空間である。
【００１０】
また、第２の考案（請求項２記載の考案）は、上記第１の考案において、前記上面板部の妻側の上面との間で挿入空間を形成する折返し板部は、該折返し板部の幅方向に対して直行する方向に長さを有する中間折曲部を間に左右に傾斜する一方の傾斜板部と他方の傾斜板部とを備え、上記挿入空間は、上記中間折曲部を頂点とする三角形状に成形されてなるとともに、該折返し板部の端部であって構造物の妻側とは離間した部位の下面と上記上面板部の上面との間は、上記挿入空間内に挿入される屋根材の肉厚よりも短い距離とされてなることを特徴とするものである。
【００１１】
この第２の考案に係るけらば部材では、上記上面板部の上面と、折返し板部を構成する一方の傾斜板部と他方の傾斜板部とにより、上記挿入空間が三角形状に成形されているばかりではなく、折返し板部の端部であって構造物の妻側と離間した部位の下面と前記上面板部の上面との間は、上記挿入空間内に挿入される屋根材の肉厚よりも短い距離とされてなることから、板状とされた屋根材の妻側の端部を、該折返し板部の端部と上面板部の上面との間に圧入すると、上記折返し板部全体が僅かに撓むことにより、これらが互いに離間して開き、そのまま更に圧入することにより屋根材の妻側が上記挿入空間内に挿入されることとなり、また、上記折返し板部はその弾性力により、該折返し板部の端部と上面板部の上面とにより屋根材は挟持されることとなる。したがって、この第２の考案に係るけらば部材を使用することにより、屋根材をがた付きや隙間が生じることなく、強固に施工することができる。
【００１２】
また、第３の考案（請求項３記載の考案）は、上記第１又は第２の考案の何れかにおいて、前記折返し板部の上方には、第２の折返し板部が形成され、この第２の折返し板部の上面は、構造物の妻側から離間するにしたがって徐々に低くなるように傾斜してなることを特徴とするものである。
【００１３】
この第３の考案に係るけらば部材では、もっとも上方には上記第２の折返し板部が形成され、この第２の折返し板部の上面は、構造物の妻側から離間するにしたがって低くなるように傾斜してなることから、該第２の折返し板部の上面に降った雨水は、構造物の妻側とは反対側に流れ、その後、上記挿入空間内に一部が挿入された屋根材上に流れる。したがって、この第３の考案に係るけらば部材によれば、降った雨水が構造物の妻側に移動することなく、上記屋根材上に導くことができ、該屋根材の下方に通常配置された樋に流すことが可能となる。
【００１４】
また、第４の考案（請求項４記載の考案）は、前記第１、第２又は第３の考案の何れかに係るけらば部材を用いた屋根材の施工構造に係るものであって、前記けらば部材に形成された挿入空間には、板状の屋根材の妻側が内部に挿入されてなることを特徴とするものである。
【００１５】
上記第４の考案に係る屋根材の施工構造による場合であっても、上記第１ないし第３のけらば部材で記載した作用効果を奏することができる。
【００１６】
また、第５の考案（請求項５記載の考案）は、上記第４の考案において、前記けらば部材を構成する折返し板部には、前記垂下板部が連続して形成され、この垂下板部は、前記上面板部との間で形成される角度が、９１度から１００度に亘る鈍角とされてなるとともに、上記垂下板部が構造物を構成する野地板の妻側の端面に固定されてなることを特徴とするものである。
【００１７】
この第５の考案に係る屋根材の施工構造による場合では、上記垂下板部は、前記上面板部との間で形成される角度が、９１度から１００度に亘る鈍角とされてなるとともに、該垂下板部が野地板の妻側の端面に固定されていることから、このけらば部材に形成された挿入空間に板状の屋根材の妻側が内部に挿入して施工することにより、上記上面板部は、上記妻側とは反対方向が屋根材により下方に押圧されることから、該上面部材は妻側を頂点としてやや湾曲するよう変形した状態となる。この結果、降った雨水は、構造物の妻側とは反対側に導くことができ、該屋根材の下方に通常配置された樋に流すことが可能となる。
【００１８】
また、第６の考案（請求項６記載の考案）は、上記第４の考案において、前記けらば部材を構成する折返し板部には、前記起立板部が連続して形成され、この起立板部は、前記構造物の妻側から起立した壁面に固定されてなることを特徴とするものである。
【００１９】
この第６の考案に係る屋根材の施工構造による場合であっても、先に説明したように、構造物の施工現場においては、単に所定の屋根材の幅を狭めるために切断する作業のみを行えばよく、該屋根材の端部を折曲する作業が不要となると同時に、壁面と屋根材との間に、雨水が侵入することを有効に防止することができる。
【考案の効果】
【００２０】
上記第１の考案（請求項１記載の考案）に係るけらば部材によれば、構造物の施工現場において、構造物の妻側の屋根材を施工する際には、単に該屋根材の幅を狭めるために切断する作業のみを行えばよく、該屋根材の端部を折曲する作業が不要となる。
【００２１】
また、第２の考案（請求項１記載の考案）に係るけらば部材では、上記上面板部の上面と、折返し板部を構成する一方の傾斜板部と他方の傾斜板部とにより、上記挿入空間が三角形状に成形されているばかりではなく、折返し板部の端部であって構造物の妻側と離間した部位と前記上面板部の上面との間は、上記挿入空間内に挿入される屋根材の肉厚よりも短い距離とされてなることから、板状とされた屋根材の妻側の端部を、該折返し板部の端部と上面板部の上面との間に圧入すると、上記折返し板部全体が僅かに撓むことにより、これらが開き、そのまま更に圧入することにより屋根材の妻側が上記挿入空間内に挿入されることとなり、また、上記折返し板部はその弾性力により、該折返し板部の端部と上面板部の上面とにより屋根材は挟持されることとなる。したがって、この第２の考案に係るけらば部材を使用することにより、屋根材をがた付きや隙間が生じることなく、強固に施工することができる。
【００２２】
また、第３の考案（請求項１記載の考案）に係るけらば部材では、もっとも上方には上記第２の折返し板部が形成され、この第２の折返し板部の上面は、構造物の妻側から離間するにしたがって低くなるように傾斜してなることから、該第２の折返し板部の上面に降った雨水は、構造物の妻側とは反対側に流れ、その後、上記挿入空間内に一部が挿入された屋根材上に流れる。したがって、この第３の考案に係るけらば部材によれば、降った雨水が構造物の妻側に移動することなく、上記屋根材上に導くことができ、該屋根材の下方に通常配置された樋に流すことが可能となる。
【００２３】
また、第４の考案（請求項４記載の考案）に係る屋根材の施工構造による場合であっても、上記第１ないし第３のけらば部材で記載した作用効果を奏することができる。
【００２４】
また、第５の考案（請求項５記載の考案）に係る屋根材の施工構造による場合では、上記垂下板部は、前記上面板部との間で形成される角度が、９１度から１００度に亘る鈍角とされてなるとともに、該垂下板部が野地板の妻側の端面に固定されていることから、このけらば部材に形成された挿入空間に板状の屋根材の妻側が内部に挿入して施工することにより、上記上面板部は、上記妻側とは反対方向が屋根材により下方に押圧されることから、該上面部材は妻側を頂点としてやや湾曲するよう変形した状態となる。この結果、降った雨水は、構造物の妻側とは反対側に導くことができ、該屋根材の下方に通常配置された樋に流すことが可能となる。
【００２５】
また、第６の考案（請求項６記載の考案）に係る屋根材の施工構造によれば、壁面と屋根材との間に、雨水が侵入することを有効に防止することができる。
【図面の簡単な説明】
【００２６】
【図１】本考案の第１の実施の形態に係るけらば部材を用いて屋根材を施工した状態を示す斜視図である。
【図２】図１に示すけらば部材と屋根材とを分解して示す斜視図である。
【図３】上面板部の下面と固定板部の内側面との角度を鈍角としたけらば部材が野地板に固定された状態を示す斜視図である。
【図４】本考案の第２の実施の形態に係るけらば部材を用いて屋根材を施工した状態を示す斜視図である。
【図５】図４に示すけらば部材と屋根材とを分解して示す斜視図である。
【図６】本考案の第３の実施の形態に係るけらば部材を用いて屋根材を施工した状態を示す斜視図である。
【図７】本考案の第４の実施の形態に係るけらば部材を用いて屋根材を施工した状態を示す斜視図である。
【図８】図７に示すけらば部材と屋根材とを分解して示す斜視図である。
【図９】従来のけらば部材を用いて屋根材を施工した状態を示す斜視図である。
【考案を実施するための形態】
【００２７】
以下、本考案を実施するための実施の形態に係るけらば部材及びこのけらば部材を用いた屋根材の施工構造について、図面を参照しながら詳細に説明する。先ず、第１の実施の形態に係るけらば部材を用いた屋根材の施工構造に付いて説明する。
【００２８】
図１又は図２に示すように、この第１の実施の形態に係るけらば部材１は、所定の長さ幅を有する長方形状に成形された１枚の金属板を適宜折曲することにより成形されてなるものであって、切妻タイプの屋根を構成する（後述する）屋根材１１が多数枚上面に配置される野地板Ｂの上面であって、妻側に配置される上面板部２と、この上面板部２の最も妻側からさらに側方に延長された部位から折曲部２ａを介して傾斜して折曲された第１の傾斜板部３と、この第１の傾斜板部３の端部から折曲部３ａを介して傾斜して折曲された第２の傾斜板部４と、この傾斜板部４の端部から折曲部４ａを介して折曲され該第２の傾斜板部４の上部に位置するとともに、該第２の傾斜板部４の傾斜角度と同じ角度に傾斜してなる第３の傾斜板部５と、この第３の傾斜板部５の妻側端部から折曲部５ａを介して折曲されてなるとともに上記第１の傾斜板部３と同じ角度に傾斜してなる第４の傾斜板部６と、この第４の傾斜板部６の端部から折曲部６ａを介して折曲され上記上面板部２の一部の下面下に位置する底面板部７と、この底面板部７の端部から垂下してなり、上記野地板Ｂの側面に上端側が固定される固定板部８（本考案を構成する垂下板部）と、を備えている。
【００２９】
上記折曲部３ａを介して連続してなる第１の傾斜板部３と第２の傾斜板部４と、また、上記折曲部５ａを介して連続してなる第３の傾斜板部５と第４の傾斜板部６とは、それぞれほぼ同じ面積とされ、第２の傾斜板部４と第３の傾斜板部５の面積もほぼ同じ面積とされている。また、上記第１の傾斜板部３と第４の傾斜板部６との下面と上面板部２の上面との傾斜角度と、上記第２の傾斜板部４と第３の傾斜板部５との下面と上面板部２の上面との傾斜角度は、それぞれ同じ角度とされ、鋭角とされている。また、上記第２の傾斜板部４と第３の傾斜板部５との間に形成された折曲部４ａと上面板部２の上面との間は、後述する板状の屋根材１１の肉厚よりもやや短いか、又は当接している。なお、上記上面板部２の端部であって、上記妻側とは反対側には、折曲部２ｂを介して水切り用の折返し部２ｃが形成されている。また、上記固定板部８は、後述するように、釘Ｎにより上記野地板Ｂの妻側端面に固定される部位であり、該固定板部８の下端には、野地板Ｂ側に折曲部８ａを介して水切り用の折返し部８ｂが形成されている。なお、この図２に示すけらば部材１では、上記野地板Ｂの上面と端面とが直角とされていることに対応して、上記上面板部２の下面と固定板部８の内側面とは直角とされている。また、上記上面板部２と第１及び第２の傾斜板部３，４との間は、本考案を構成する挿入空間であり、上記第１及び第２の傾斜板部３，４は、本考案を構成する折返し板部である。
【００３０】
そして、上述した構成に係るけらば部材１の上面板部２上に配置される屋根材１１は、該けらば部材１と同じ素材からなり長方形状に切断された金属板を折曲することにより成形されてなるものであり、図２に示すように、該上面板部２の幅よりも幅広となされた板状の主板部１２と、この主板部１２の端部であって妻側とは反対側に形成され上方に膨出してなる膨出部１３とから構成されている。なお、この膨出部１３は、図示しない屋根の傾斜方向に長さを有してなるものである。
【００３１】
そこで以下、上記けらば部材１を用いた屋根材１１の施工方法ないし施工構造について説明する。
【００３２】
先ず、図２に示すように、上記けらば部材１を構成する固定板部８を（複数の）釘Ｎを用いて上記野地板Ｂの端面に固定する。なお、けらば部材１は、図示しない屋根全体の傾斜方向に長さを有するものではなく、屋根の棟側から順番に軒側に（互いに一部が重なるように）複数の複数のけらば部材１を施工するものであり、図１及び図２には、こうした複数のけらば部材１の中の特定のけらば部材１が示されている。こうした複数のけらば部材１が、屋根全体の両方に妻側に施工する作業が終了すると、次いで、複数の上記屋根材１１を施工する。これらの屋根材１１は、図示しない（左右両側の妻側の一方の）妻側から上記膨出部１３が上下に重なるように順番に施工し、最も（他方の）妻側に位置する屋根材１１は、上記主板部１２の先端が上記上面板部２と第１の傾斜板部３との間に位置する折曲部２ａの内側よりも外側に突出することがない幅となるように、適宜施工現場にて切断する。こうした屋根材１１の主板部１２の切断作業が終了すると、次いで、該主板部１２の先端を上記けらば部材１を構成する上記折曲部４ａと上面板部２の上面との間に挿入又は圧入する。こうした作業により、（他方の妻側の）屋根材１１は、図１に示すように施工される。
【００３３】
したがって、上述した第１の実施の形態に係るけらば部材１を使用することにより、施工現場において屋根材１１の主板部１２を切断すれば足り、従来のけらば部材５０を使用した場合のように、屋根材に折返し板部を形成する作業は不要となる。したがって、この第１の実施の形態に係るけらば部材１によれば、上記折返し板部を正確に直線状に形成するために行われる折曲作業は一切不要となり、ひいては工期の短縮化に大きく貢献することができる。
【００３４】
また、この第１の実施の形態に係るけらば部材１又はこのけらば部材１を用いた屋根材の施工構造によれば、上記折曲部５ａを境にして、上記第４の傾斜板部６上に降った雨水は、妻側に流れるが、第３の傾斜板部５上に降った雨水は、屋根板１１の主板部１２上に流れ、図示しない軒側に流すことができる。また、こうした主板部１２上を流れる雨水が上記第１及び第２の傾斜板部３，４上に侵入した場合であっても、該雨水は上面板部２上から軒側に移動することから、図示したけらば部材１の軒側に施工された図示しないけらば部材上に流れ、また、毛管現象により（一方の）妻側に雨水が移動した場合であっても、上記水切り用の折返し部２ｂにより野地板Ｂ上に侵入することも防止することが可能となる。なお、上記図２に示すけらば部材２は、先に説明したように、上記上面板部２の下面と固定板部８の内側面とは直角とされているが、上記上面板部２の下面と固定板部８の内側面との角度を鈍角（９１度から１００度）となるように成形したものであっても良い。このように、上面板部２の下面と固定板部８の内側面との角度を鈍角（９１度から１００度）となるように成形した場合には、先に説明した要領ないし工程により、該けらば部材１及び屋根材１１を施工することにより、図３に示すように、けらば部材１を構成する固定板部８が野地板Ｂの妻側端面に釘Ｎにて固定され、さらに上記屋根材１１の荷重により、該けらば部材１の妻側がやや上方に膨出するように湾曲した状態となり、より一層雨水を軒側に移動させることができるとともに、野地板Ｂ上に雨水が侵入する危険性を回避することができる。
【００３５】
次に、本考案の第２の実施の形態に係るけらば部材及びこのけらば部材を用いた屋根材の施工構造について、図面を参照しながら詳細に説明する。
【００３６】
図４及び図５にそれぞれ示すように、この第２の実施の形態に係るけらば部材２１は、所定の長さ幅を有する長方形状に成形された１枚の金属板を適宜折曲することにより成形されてなるものであって、切妻タイプの屋根を構成する（後述する）屋根材１１が多数枚上面に配置される野地板Ｂの上面であって、妻側に配置される上面板部２２と、この上面板部２２の最も妻側からさらに側方に延長された部位から折曲部２２ａを介して傾斜して折曲された第１の傾斜板部２３と、この第１の傾斜板部２３の端部から折曲部２３ａを介して傾斜して折曲された第２の傾斜板部２４と、この傾斜板部２４の端部から折曲部２４ａを介して折曲され基端側は上記第２の傾斜板部２４の上部に位置するとともに中途部からは上記第１の傾斜板部２３とは徐々に離間するよう傾斜してなる第３の傾斜板部２５と、この第３の傾斜板部２５の妻側端部から折曲部２５ａを介して垂下するよう折曲されてなり、上記野地板Ｂの妻側端面に固定される固定板部２６と、この固定板部２６の下端から折曲部２６ａを介して折曲され上面が上記野地板Ｂの下面と対向する対向板部２７と、この対向板部２７の端部から折曲部２７ａを介して垂下してなる垂下板部２８と、を備えている。なお、上記上面板部２２の端部であって、上記妻側とは反対側には、折曲部２２ｂを介して水切り用の折返し部２２ｃが形成されている。また、上記垂下板部２８の下端には、内側に折曲部２８ａを介して水切り用の折返し部２８ｂが形成されている。また、上記上面板部２２と第１及び第２の傾斜板部２３，２４との間は、本考案を構成する挿入空間であり、上記第１及び第２の傾斜板部２３，２４は、本考案を構成する折返し板部である。
【００３７】
そして、上記第１及び第２の傾斜板部２３，２４は、上記第１の実施の形態に係るけらば部材１を構成する第１及び第２の傾斜部材３，４と同一の構成であり、その一方、上記第３の傾斜板部２５は、上記第１及び第２の傾斜板部２３，２４の上部に位置してなるものであって、上記固定板部２６の上端から上記折曲部２４ａの部位に亘って同じ傾斜角度で一様に徐々に低くなるよう傾斜してなるものである。なお、屋根材１１は、上記第１の実施の形態に係る屋根材の施工構造で説明したものと同一であることから、説明を省略する。
【００３８】
そして、この第２の実施の形態に係るけらば部材２１又はこのけらば部材２１を用いた屋根材の施工構造による場合であっても、施工現場において屋根材１１の主板部１２を切断すれば足り、上記折返し板部を正確に直線状に形成するために行われる折曲作業は一切不要となり、ひいては工期の短縮化に大きく貢献することができる。特に、けらば部材２１又はこのけらば部材２１を用いた屋根材の施工構造では、上記第３の傾斜板部２５が野地板Ｂの妻側端面から該妻側とは反対方向（屋根材１１側）に傾斜していることから、この第３の傾斜板部２５上に降った雨水は妻側に流れ落ちることなく、屋根板１１上に流れひいては軒側に誘導することができる。
【００３９】
なお、上記第１及び第２の実施の形態に係るけらば部材１，２１では、上面板部２、２２の妻側にそれぞれ傾斜板部３，４，５，６，２３，２４，２５が形成されたものを図示して説明したが、本考案は必ずしもこうした傾斜板部（符号は省略する。）が形成されていることなく、例えば、（第３の実施の形態として）図６に示すけらば部材３１を用いて屋根材１１を施工しても良い。このけらば部材３１は、先に説明した上面板部３２の妻側端部から折曲部３２ａを介して折曲され該上面板部３２の上面に下面が平行となされた第１の平行板部３３と、この第１の平行板部３３の端部から折曲部３３ａを介して該第１の平行板部３３の上面に下面が平行となされた第２の平行板部３４と、を備えている。上記第１及び第２の平行板部３３，３４の妻側は、野地板Ｂの端面よりも側方に突出している。そして、上記第２の平行板部３４の端部からは折曲部３４ａを介して折曲され上面は上記第１の平行板部３３の下面の一部と平行とされた下面板部３５が形成され、この下面板部３５の端部からは折曲部３５ａを介して垂下し釘Ｎにより野地板Ｂの端面と固定される固定板部３６が形成されている。なお、上記上面板部３２の端部であって、上記妻側とは反対側には、折曲部３２ｂを介して水切り用の折返し部３２ｃが形成され、上記固定板部３６の下端には、内側に折曲部３６ａを介して水切り用の折返し部３６ｂが形成されている。また、上記上面板部３２と第１の平行板部３３との間は、本考案を構成する挿入空間であり、上記第１の平行板部３３は、本考案を構成する折返し板部である。
【００４０】
この第３の実施の形態に係るけらば部材３１又はこのけらば部材３１を用いた屋根材の施工構造による場合であっても、施工現場において屋根材１１の主板部３２を切断すれば足り、上記折返し板部を正確に直線状に形成するために行われる折曲作業は一切不要となり、ひいては工期の短縮化に大きく貢献することができる。
【００４１】
また、この考案に係るけらば部材は、野地板Ｂの端面に対向し又は固定され該野地板Ｂの妻側から上方に起立した壁が形成された構造物に一部が固定されるものであっても良い。（第４の実施の形態である）このけらば部材４１は、図７及び図８にそれぞれ示すように、先に第２の実施の形態として説明したけらば部材２１を構成する第３の傾斜板部２５の妻側端部から上記壁Ｗの側面に釘Ｎにより固定される固定板部４６が起立した状態で形成されたものである。
【００４２】
すなわち、この第４の実施の形態に係るけらば部材４１は、所定の長さ幅を有する長方形状に成形された１枚の金属板を適宜折曲することにより成形されてなるものであって、切妻タイプの屋根を構成する（後述する）屋根材１１が多数枚上面に配置される野地板Ｂの上面であって、妻側に配置される上面板部４２と、この上面板部４２の最も妻側からさらに側方に延長された部位から折曲部４２ａを介して傾斜して折曲された第１の傾斜板部４３と、この第１の傾斜板部４３の端部から折曲部４３ａを介して傾斜して折曲された第２の傾斜板部４４と、この傾斜板部４４の端部から折曲部４４ａを介して折曲され基端側は上記第２の傾斜板部４４の上部に位置するとともに中途部からは上記第１の傾斜板部４３とは徐々に離間するよう傾斜してなる第３の傾斜板部４５と、この第３の傾斜板部４５の妻側端部から折曲部４５ａを介して起立するよう折曲されてなり、上記壁Ｗの側面に固定される固定板部４６と、を備えている。なお、上記上面板部４２の端部であって、上記妻側とは反対側には、折曲部４２ｂを介して水切り用の折返し部４２ｃが形成されている。また、上記固定板部４６の上端には、折曲部４６ａを介して水切り用の折返し部４６ｂが屋根側に形成されている。また、上記上面板部４２と第１及び第２の傾斜板部４３，４４との間は、本考案を構成する挿入空間であり、上記第１及び第２の傾斜板部４３，４４は、本考案を構成する折返し板部である。
【００４３】
上記第４の実施の形態に係るけらば部材４１やこのけらば部材４１を用いた屋根材の施工構造による場合であっても、上記各実施の形態に係るそれらと同様の作用効果を実現することができる。とりわけ、このけらば部材４１を用いた屋根材の施工構造によれば、壁Ｗと野地板Ｂとの間から雨水が侵入してしまう危険性を有効に防止することができる。
【符号の説明】
【００４４】
１  けらば部材
２  上面板部
２ｃ  折返し部
３  第１の傾斜板部
４  第２の傾斜板部
５  第３の傾斜板部
６  第４の傾斜板部
１１  屋根材
２１  けらば部材
２２  上面板部
２２ｃ  折返し部
２３  第１の傾斜板部
２４  第２の傾斜板部
２５  第３の傾斜板部
２６  固定板部
３１  けらば部材
３２  上面板部
３２ｃ  折返し部
４１  けらば部材
４２  上面板部
４２ｃ  折返し部
４３  第１の傾斜板部
４４  第２の傾斜板部
４５  第３の傾斜板部
４６  固定板部
Ｂ  野地板
Ｎ  釘
Ｗ  壁
【図１】
0003190356.tif 000003
【図２】
0003190356.tif 000004
【図３】
0003190356.tif 000005
【図４】
0003190356.tif 000006
【図５】
0003190356.tif 000007
【図６】
0003190356.tif 000008
【図７】
0003190356.tif 000009
【図８】
0003190356.tif 000010
【図９】
0003190356.tif 000011